(57)【要約】【課題】金型のキャビティ、特にキャビティに連通する連通孔に侵入した離型剤に由来する水分に起因するダイカスト品の品質低下を防止することが可能なダイカスト装置およびダイカスト方法を提供する。【解決手段】ダイカスト装置１に、金型２と、金型２のキャビティ５を減圧する排気ポンプ６と、金型２のキャビティ５に連通する連通孔３ａ・４ａ・４ｂ・４ｃ・４ｄにそれぞれ貫装される鋳抜きピン１２および押し出しピン１４・１５・１６・１７と、鋳抜きピン１２および押し出しピン１４・１５・１６・１７と金型２との間の電気抵抗をそれぞれ測定する抵抗測定器１９ａ・１９ｂ・１９ｃ・１９ｄ・１９ｅと、を具備した。【選択図】図１
2008173680.tif 000002
【特許請求の範囲】
【請求項１】
金型と、
前記金型のキャビティを減圧する減圧装置と、
前記金型のキャビティに連通する連通孔に貫装される貫装部材と、
前記貫装部材と前記金型との間の電気抵抗を測定する抵抗測定装置と、
を具備するダイカスト装置。
【請求項２】
前記貫装部材は、
前記連通孔の内周面に対向する面に形成され、前記連通孔の内周面との隙間に水分が存在する場合に前記金型との間で導通する導通部と、
前記連通孔の内周面に対向する面に形成され、前記連通孔の内周面に接触しても前記金型との間で導通しない絶縁部と、
を備える請求項１に記載のダイカスト装置。
【請求項３】
前記貫装部材は、
前記キャビティに向かって突出することによりダイカスト品を前記金型から剥離する押し出しピンである請求項１または請求項２に記載のダイカスト装置。
【請求項４】
前記貫装部材は、
前記キャビティに対して突出および退避が可能または前記金型に固定され、ダイカスト品に凹部を形成する鋳抜きピンである請求項１または請求項２に記載のダイカスト装置。
【請求項５】
金型のキャビティに連通する連通孔に貫装される貫装部材と前記金型との間の電気抵抗を測定する抵抗測定工程と、
前記金型のキャビティを減圧する減圧工程と、
を具備するダイカスト方法。
【請求項６】
前記貫装部材は、
前記連通孔の内周面に対向する面に形成され、前記連通孔の内周面との隙間に水分が存在する場合に前記金型との間で導通する導通部と、
前記連通孔の内周面に対向する面に形成され、前記連通孔の内周面に接触しても前記金型との間で導通しない絶縁部と、
を備える請求項５に記載のダイカスト方法。
【請求項７】
前記貫装部材は、
前記キャビティに向かって突出することによりダイカスト品を前記金型から剥離する押し出しピンである請求項５または請求項６に記載のダイカスト方法。
【請求項８】
前記貫装部材は、
前記キャビティに対して突出および退避が可能または前記金型に固定され、ダイカスト品に凹部を形成する鋳抜きピンである請求項５または請求項６に記載のダイカスト方法。
【発明の詳細な説明】
【技術分野】
【０００１】
本発明は、溶融状態または半溶融状態の金属材料等を減圧した金型のキャビティに供給することにより所定の形状のダイカスト品を成形するダイカスト装置およびダイカスト方法に関する。
【背景技術】
【０００２】
従来、溶湯（溶融状態または半溶融状態の金属材料等）を減圧した金型のキャビティに供給することにより所定の形状のダイカスト品を成形するダイカスト方法、すなわち真空（減圧）ダイカスト法は公知となっている。
キャビティを予め減圧することにより、溶湯ひいてはダイカスト品への気体の巻き込みを防止し、鋳巣等の欠陥が無い高品質のダイカスト品を成形することが可能である。
【０００３】
また、金型のキャビティ面に離型剤を塗布するとともに、金型のキャビティに向かって突出する押し出しピンを設けることにより、ダイカスト品を金型から容易に剥離する技術も知られている。
ダイカストに用いられる離型剤としては水性離型剤（セラミックスや黒鉛等の粉末を水に分散したもの）や油性離型剤（セラミックスや黒鉛等の粉末を油に分散したもの）が挙げられるが、火災防止や環境への配慮といった観点から水溶性の離型剤が多く使用される。
【０００４】
押し出しピンを具備する金型および水性の離型剤を用いた真空（減圧）ダイカスト法は、（１）金型のキャビティに離型剤を塗布し、（２）金型を所定の温度で所定の時間保持して離型剤を乾燥し、（３）金型を閉じてキャビティを所定の圧力となるまで減圧し、（４）キャビティに溶融状態または半溶融状態の金属材料を充填し、（５）金型を冷却することによりキャビティ内に充填された金属材料を凝固させて所定の形状のダイカスト品とし、（６）金型を開き、キャビティ（ダイカスト品）に向かって押し出しピンを突出させることによりダイカスト品を金型から剥離して取り出す、という一連の作業により行われる。
【０００５】
しかし、押し出しピンを具備する金型は、通常はキャビティに連通する連通孔に押し出しピンが貫装される構成であるため、水性の離型剤を塗布する際に当該連通孔と押し出しピンとの隙間に離型剤が侵入し、当該隙間に侵入した離型剤がその後の乾燥によっても十分に乾燥しない場合がある。
特に、金型には通常冷却水を流通するための経路が内部に形成されているため、冷却水による抜熱量が多い部分は離型剤の乾燥が不十分となる場合がある。
【０００６】
金型の連通孔と押し出しピンとの隙間に侵入した離型剤が十分に乾燥していない状態でキャビティを減圧すると、当該離型剤に由来する水分がキャビティ内に吸い出され、ダイカスト品に巻き込まれて鋳巣等の欠陥、ひいてはダイカスト品の品質不良の原因となる。
また、連通孔と押し出しピンとの隙間に侵入している水性の離型剤が十分に乾燥しているか否かは容易に判断することができない。
【０００７】
このような事態を防止する最も簡便な方法はより高温・長時間の乾燥を行うことであるが、エネルギーコストの増大や生産性の低下という問題がある。
よって、離型剤に由来する水分に起因するダイカスト品の品質低下を防止するための他の方法が種々検討されている。例えば特許文献１に記載の如くである。
【０００８】
特許文献１に記載の方法は、押し出しピンが貫装されるとともに一端がキャビティに連通する連通孔の他端と連通するチャンバーを加圧することにより、連通孔と押し出しピンとの隙間にチャンバーからキャビティへの空気の流れを形成して離型剤が当該隙間に侵入することを防止するものである。
【０００９】
しかし、特許文献１に記載の方法は、気密性の高いチャンバーおよび当該チャンバーを加圧する装置（加圧ポンプ等）を追加的にダイカスト装置に設ける必要が生じ、設備コストが増大するという問題がある。
また、キャビティの減圧時には連通孔を介してキャビティと連通しているチャンバーも同様に減圧する必要があることから全体として減圧すべき空間の容積が大きくなり、ひいては減圧に要する時間が長くなってダイカスト装置の生産性が低下するという問題もある。
【特許文献１】特開２００１−７１１０６号公報
【発明の開示】
【発明が解決しようとする課題】
【００１０】
本発明は以上の如き状況に鑑み、金型のキャビティ、特にキャビティに連通する連通孔に侵入した離型剤に由来する水分に起因するダイカスト品の品質低下を防止することが可能なダイカスト装置およびダイカスト方法を提供するものである。
【課題を解決するための手段】
【００１１】
本発明の解決しようとする課題は以上の如くであり、次にこの課題を解決するための手段を説明する。
【００１２】
即ち、請求項１においては、
金型と、
前記金型のキャビティを減圧する減圧装置と、
前記金型のキャビティに連通する連通孔に貫装される貫装部材と、
前記貫装部材と前記金型との間の電気抵抗を測定する抵抗測定装置と、
を具備するものである。
【００１３】
請求項２においては、
前記貫装部材は、
前記連通孔の内周面に対向する面に形成され、前記連通孔の内周面との隙間に水分が存在する場合に前記金型との間で導通する導通部と、
前記連通孔の内周面に対向する面に形成され、前記連通孔の内周面に接触しても前記金型との間で導通しない絶縁部と、
を備えるものである。
【００１４】
請求項３においては、
前記貫装部材は、
前記キャビティに向かって突出することによりダイカスト品を前記金型から剥離する押し出しピンであるものである。
【００１５】
請求項４においては、
前記貫装部材は、
前記キャビティに対して突出および退避が可能または前記金型に固定され、ダイカスト品に凹部を形成する鋳抜きピンであるものである。
【００１６】
請求項５においては、
金型のキャビティに連通する連通孔に貫装される貫装部材と前記金型との間の電気抵抗を測定する抵抗測定工程と、
前記金型のキャビティを減圧する減圧工程と、
を具備するものである。
【００１７】
請求項６においては、
前記貫装部材は、
前記連通孔の内周面に対向する面に形成され、前記連通孔の内周面との隙間に水分が存在する場合に前記金型との間で導通する導通部と、
前記連通孔の内周面に対向する面に形成され、前記連通孔の内周面に接触しても前記金型との間で導通しない絶縁部と、
を備えるものである。
【００１８】
請求項７においては、
前記貫装部材は、
前記キャビティに向かって突出することによりダイカスト品を前記金型から剥離する押し出しピンであるものである。
【００１９】
請求項８においては、
前記貫装部材は、
前記キャビティに対して突出および退避が可能または前記金型に固定され、ダイカスト品に凹部を形成する鋳抜きピンであるものである。
【発明の効果】
【００２０】
本発明は、金型のキャビティ、特にキャビティに連通する連通孔に侵入した離型剤に由来する水分に起因するダイカスト品の品質低下を防止することが可能である、という効果を奏する。
【発明を実施するための最良の形態】
【００２１】
以下では、図１乃至図４を用いて本発明に係るダイカスト装置の実施の一形態であるダイカスト装置１について説明する。
図１に示す如く、ダイカスト装置１は溶湯１１を凝固させて所定の形状のダイカスト品を成形する装置であり、主として金型２、排気ポンプ６、バルブ８、スリーブ９、プランジャ１０、鋳抜きピン１２、油圧シリンダ１３、押し出しピン１４・１５・１６・１７、押し出しプレート１８、抵抗測定器１９ａ・１９ｂ・１９ｃ・１９ｄ・１９ｅ、抵抗判定装置２０を具備する。
【００２２】
金型２は本発明に係る金型の実施の一形態であり、主として固定型３、可動型４を具備する。
固定型３は金型２を構成する部材の一つであり、構造体や地面等に固定される。
可動型４は金型２を構成する部材の一つであり、固定型３に対して接近する方向および離間する方向に移動可能である。
可動型４の移動は図示せぬアクチュエータ（例えば、油圧シリンダ）により行われ、（１）固定型３と当接した状態すなわち金型２を閉じた状態、（２）固定型３に対して所定距離だけ離間した状態すなわち金型２を開いた状態、のいずれかの状態を保持することが可能である。
【００２３】
金型２を閉じた状態において、固定型３と可動型４との当接面（合わせ面）にはダイカスト品の形状に対応する形状の空間であるキャビティ５が形成される。
【００２４】
なお、本実施例では金型２が固定型３と可動型４の二つの部材からなる構成であるが、本発明はこれに限定されず、金型を構成する部材の数はダイカスト品の形状や大きさ等に応じて適宜選択することが可能である。
【００２５】
金型２は金型用鋼であるＳＫＤ６１（ＪＩＳ規格）で構成され、導通する（導電性を有する）。
なお、本発明に係る金型を構成する材料は、導通する（導電性を有する）ものであれば金型用鋼に限定されず、他の材料でも良い。
【００２６】
排気ポンプ６は本発明に係る減圧装置の実施の一形態であり、金型２のキャビティ５を減圧するものである。
排気ポンプ６は金型２の外部に設けられ、排気ポンプ６の吸気ポートは可動型４の内部に形成される排気経路７を介してキャビティ５の上部と連通接続される。排気ポンプ６の排気ポートは大気に開放される。排気ポンプ６は空気（気体）を吸気ポートから吸い込み排気ポートから排気する。
【００２７】
バルブ８は排気経路７の中途部に設けられ、キャビティ５と排気ポンプ６とが連通接続された状態（バルブ８が開いた状態）とキャビティ５が閉塞された状態（バルブ８が閉じた状態）とを切り替えるものである。
【００２８】
金型２を閉め、排気ポンプ６が作動している状態でバルブ８を開くと、キャビティ５の内部の空気が外部に排気され、キャビティ５が減圧された状態となる。キャビティ５の内部が所定の真空度（圧力）に到達した時点でバルブ８を閉めることにより、キャビティ５の内部が減圧された状態を保持する。
【００２９】
スリーブ９は略円筒形状の部材であり、その一端は固定型３に嵌装され、スリーブ９の内部空間はキャビティ５の下部と連通する。
【００３０】
プランジャ１０はスリーブ９の内周面に液密的かつ摺動可能に当接する部材である。プランジャ１０は図示せぬアクチュエータ（例えば、油圧シリンダ）によりスリーブ９の内周面に沿ってスリーブ９の内部空間を摺動する。
【００３１】
溶湯１１は溶融状態のアルミニウム合金であり、ダイカスト品の原材料となるものである。溶湯１１はスリーブ９の内部空間に供給される。
本実施例の溶湯１１はアルミニウム合金であるが、本発明に係る溶湯はこれに限定されず、溶融状態または半溶融状態の金属材料（例えば、鋳鉄、亜鉛合金、銅合金、マグネシウム合金等）、樹脂材料等を広く含む。
【００３２】
キャビティ５を減圧した後、プランジャ１０を金型２に向かって押し込むと、溶湯１１がキャビティ５に充填された状態となる。
プランジャ１０をさらに金型２に向かって押し込むことにより溶湯１１を加圧した状態で保持すると、金型２を構成する固定型３および可動型４の内部に形成された冷却水経路を流通する冷却水に溶湯１１の熱が奪われて溶湯１１の温度は低下し、溶湯１１はキャビティ５の内部で凝固する。
【００３３】
鋳抜きピン１２は本発明に係る貫装部材の実施の一形態であり、ダイカスト品に凹部（本実施例の場合は貫通孔）を形成するものである。
ここで、凹部は孔、窪み、溝等を含むが、アンダーカット部（可動型の移動方向と異なる方向に延びた孔、窪み、溝等）には限定されない。
鋳抜きピン１２は略円柱形状の部材であり、連通孔３ａに貫装される。連通孔３ａは固定型３に形成される孔であり、その一端はキャビティ５に連通するとともに他端は金型２の外部に連通する。
鋳抜きピン１２の先端部はキャビティ５に対向し、鋳抜きピン１２の基部は金型２の外部に設けられた油圧シリンダ１３のシリンダロッドに固定される。
【００３４】
油圧シリンダ１３は鋳抜きピン１２の先端部をキャビティ５に対して突出および退避するためのアクチュエータである。油圧シリンダ１３が伸長すると鋳抜きピン１２の先端部がキャビティ５に向かって突出した状態となり、油圧シリンダ１３が収縮すると鋳抜きピン１２の先端部がキャビティ５から退避した状態となる。
【００３５】
溶湯１１をキャビティ５に充填するときに鋳抜きピン１２の先端部をキャビティ５に対して突出した状態とすることにより、ダイカスト品には鋳抜きピン１２の先端部の形状に対応する形状の貫通孔が形成される。
金型２を開くときには予め鋳抜きピン１２の先端部をキャビティ５から退避した状態とする。
【００３６】
なお、本実施例では鋳抜きピン１２をキャビティ５に対して突出および退避が可能な構成としたが、本発明はこれに限定されず、鋳抜きピンがアンダーカット部を形成するためのものでない場合には、当該鋳抜きピンが金型に固定される構成（キャビティに対して突出および退避しない構成）としても良い。
【００３７】
押し出しピン１４・１５・１６・１７は本発明に係る貫装部材の実施の一形態であり、キャビティ５に向かって突出することによりダイカスト品を金型２（本実施例の場合、より厳密には可動型４）から剥離するものである。
押し出しピン１４・１５・１６・１７は略円柱形状の部材であり、それぞれ連通孔４ａ・４ｂ・４ｃ・４ｄに貫装される。連通孔４ａ・４ｂ・４ｃ・４ｄは可動型４に形成される孔であり、その一端はキャビティ５に連通するとともに他端は金型２の外部に連通する。
押し出しピン１４・１５・１６・１７の先端部はキャビティ５に対向し、押し出しピン１４・１５・１６・１７の基部は金型２の外部に設けられた押し出しプレート１８に固定される。
【００３８】
鋳抜きピン１２および押し出しピン１４・１５・１６・１７は金型用鋼であるＳＫＤ６１（ＪＩＳ規格）で構成され、導通する（導電性を有する）。
なお、本発明に係る貫装部材を構成する材料は、導通する（導電性を有する）ものであれば金型用鋼に限定されず、他の材料でも良い。
【００３９】
本実施例は貫装部材として鋳抜きピン１２および押し出しピン１４・１５・１６・１７を具備する構成したが、本発明はこれに限定されず、ダイカスト品の形状によっては貫装部材として可動中子を具備する構成としても良い。
また、本発明に係る貫装部材の数は限定されず、単数でも複数でも良い。
【００４０】
押し出しプレート１８は板状の部材であり、図示せぬアクチュエータ（例えば、油圧シリンダ）の伸長・収縮により金型２（可動型４）に対して接近する方向および離間する方向に移動可能である。
キャビティ５に離型剤を塗布するときは押し出しプレート１８は可動型４から離間する方向に移動する。その結果、押し出しピン１４・１５・１６・１７の先端部はキャビティ５から退避し、押し出しピン１４・１５・１６・１７の先端面がキャビティ５のキャビティ面と面一となる位置に保持される。
金型２を開くと押し出しプレート１８が可動型４に対して接近する方向に移動し、押し出しピン１４・１５・１６・１７はキャビティ５に向かって突出する。その結果、ダイカスト品が押し出しピン１４・１５・１６・１７により押され、可動型４から剥離される。
【００４１】
抵抗測定器１９ａ・１９ｂ・１９ｃ・１９ｄ・１９ｅは本発明に係る抵抗測定装置の実施の一形態である。
抵抗測定器１９ａは鋳抜きピン１２と金型２（固定型３）との間の電気抵抗を測定するものであり、抵抗測定器１９ａが有する二つの端子の一方は鋳抜きピン１２に接続され、他方は固定型３に接続される。
抵抗測定器１９ｂ・１９ｃ・１９ｄ・１９ｅはそれぞれ押し出しピン１４・１５・１６・１７と金型２（可動型４）との間の電気抵抗を測定するものであり、抵抗測定器１９ｂ・１９ｃ・１９ｄ・１９ｅのそれぞれが有する二つの端子の一方はそれぞれ押し出しピン１４・１５・１６・１７に接続され、他方は可動型４に接続される。
【００４２】
以下では、図２を用いて押し出しピン１４の詳細構成について説明する。
なお、本実施例では押し出しピン１５・１６・１７の詳細構成は押し出しピン１４と略同じであることから、説明を省略する。
【００４３】
図２に示す如く、押し出しピン１４の外周面には絶縁性皮膜１４ａ（図２中の格子模様で表される部分）が形成される。
【００４４】
絶縁性皮膜１４ａは本発明に係る絶縁部の実施の一形態であり、押し出しピン１４において連通孔４ａの内周面に対向する面、すなわち押し出しピン１４の外周面に形成され、連通孔４ａの内周面に接触しても金型２（可動型４）との間で導通しないものである。
本実施例の絶縁性皮膜１４ａは絶縁性のセラミックスであるジルコニアを押し出しピン１４の外周面に溶射することにより形成されたものであり、その厚さは約５０μｍである。
また、絶縁性皮膜１４ａをジルコニアで構成することにより、押し出しピン１４の外周面の耐摩耗性を向上するとともに押し出しピン１４の焼き付きを防止している。
なお、本発明に係る絶縁部は本実施例の絶縁性皮膜１４ａに限定されず、他の絶縁性材料（セラミックス等）を溶射したものでも良く、貫装部材において連通孔の内周面に対向する面に埋め込まれた絶縁性材料からなる部材でも良い。
【００４５】
押し出しピン１４の外周面のうち、基部（押し出しプレート１８に固定される方の端部）および先端部（キャビティ５に向かって突出する方の端部）には、絶縁性皮膜１４ａにより被覆されていない部分、すなわち押し出しピン１４の外周面が露出している部分である露出部１４ｂ・１４ｃ・１４ｄ・１４ｅが形成される。
露出部１４ｂは押し出しピン１４の基部に形成され、抵抗測定器１９ｂが有する二つの端子の一方が接続される。
【００４６】
露出部１４ｃ・１４ｄ・１４ｅは本発明に係る導通部の実施の一形態であり、押し出しピン１４において連通孔４ａの内周面に対向する面、すなわち押し出しピン１４の外周面に形成され、連通孔４ａとの隙間に離型剤２２に由来する水分等の導電性物質が存在する場合に金型２（可動型４）との間で導通するものである。
露出部１４ｃ・１４ｄ・１４ｅは押し出しピン１４の外周面の先端部、すなわち、押し出しピン１４がキャビティ５から退避した状態のときに連通孔４ａにおけるキャビティ５への開口部近傍に対応する位置であり、キャビティ５（のキャビティ面）に離型剤２１を塗布する際に連通孔４ａと押し出しピン１４との隙間に侵入した離型剤２２が残留する位置、に形成される。
露出部１４ｃ・１４ｄ・１４ｅは押し出しピン１４の周方向にリング状に形成され、その幅はそれぞれ約５ｍｍである。また、露出部１４ｃ・１４ｄ・１４ｅは相互に所定の間隔を空けて配置される。
【００４７】
なお、本発明に係る導通部は本実施例の露出部１４ｃ・１４ｄ・１４ｅに限定されない。すなわち、導通部の数は単数でも複数でも良く、導通部の形状は斑点状、螺旋状、任意の虫食い形状、押し出しピン１４の長手方向に延びた複数のストライプ状その他の形状でも良い。
【００４８】
押し出しピン１４は、露出部１４ｃ・１４ｄ・１４ｅと可動型４の連通孔４ａとの間以外の部分では導通しないように構成される。本実施例の場合、押し出しピン１４の基部と押し出しプレート１８との間（固定部分）に絶縁性の部材（例えば、ゴムブッシュ等）を介装することにより押し出しピン１４を押し出しプレート１８に対して絶縁するとともに押し出しピン１４が他の部材等と接触しない構成としている。
なお、押し出しプレート１８と他の部材との接触部位に絶縁性の部材を介装しても良い。
【００４９】
以下では、図３を用いて鋳抜きピン１２の詳細構成について説明する。
図３に示す如く、鋳抜きピン１２の外周面には絶縁性皮膜１２ａ（図３中の格子模様で表される部分）が形成される。
【００５０】
絶縁性皮膜１２ａは本発明に係る絶縁部の実施の一形態であり、鋳抜きピン１２において連通孔３ａの内周面に対向する面、すなわち鋳抜きピン１２の外周面に形成され、連通孔３ａの内周面に接触しても金型２（固定型３）との間で導通しないものである。
本実施例の絶縁性皮膜１２ａは絶縁性のセラミックスであるジルコニアを鋳抜きピン１２の外周面に溶射することにより形成されたものであり、その厚さは約５０μｍである。
また、絶縁性皮膜１２ａをジルコニアで構成することにより、鋳抜きピン１２の外周面の耐摩耗性を向上するとともに鋳抜きピン１２の焼き付きを防止している。
【００５１】
鋳抜きピン１２の外周面のうち、基部（油圧シリンダ１３のシリンダロッドに固定される方の端部）および中途部には、絶縁性皮膜１２ａにより被覆されていない部分、すなわち鋳抜きピン１２の外周面が露出している部分である露出部１２ｂ・１２ｃ・１２ｄ・１２ｅが形成される。
露出部１２ｂは鋳抜きピン１２の基部に形成され、抵抗測定器１９ａが有する二つの端子の一方が接続される。
【００５２】
露出部１２ｃ・１２ｄ・１２ｅは本発明に係る導通部の実施の一形態であり、鋳抜きピン１２において連通孔３ａの内周面に対向する面、すなわち鋳抜きピン１２の外周面に形成され、連通孔３ａとの隙間に離型剤２２に由来する水分等の導電性物質が存在する場合に金型２（固定型３）との間で導通するものである。
露出部１２ｃ・１２ｄ・１２ｅは鋳抜きピン１２の外周面の中途部、より厳密には鋳抜きピン１２がキャビティ５に向かって突出した状態のときに連通孔３ａにおけるキャビティ５への開口部近傍に対応し、キャビティ５（のキャビティ面）に離型剤２１を塗布する際に連通孔３ａと鋳抜きピン１２との隙間に侵入した離型剤２２が残留する位置、に形成される。
露出部１２ｃ・１２ｄ・１２ｅは鋳抜きピン１２の周方向にリング状に形成され、その幅はそれぞれ約５ｍｍである。また、露出部１２ｃ・１２ｄ・１２ｅは相互に所定の間隔を空けて配置される。
【００５３】
鋳抜きピン１２は、露出部１２ｃ・１２ｄ・１２ｅと固定型３の連通孔３ａとの間以外の部分では導通しないように構成される。本実施例の場合、鋳抜きピン１２の基部と油圧シリンダ１３のシリンダロッドとの間（固定部分）に絶縁性の部材（例えば、ゴムブッシュ等）を介装することにより鋳抜きピン１２を油圧シリンダ１３に対して絶縁するとともに鋳抜きピン１２が他の部材等と接触しない構成としている。
なお、押し出しプレート１８と他の部材との接触部位に絶縁性の部材を介装しても良い。
【００５４】
抵抗判定装置２０は、抵抗測定器１９ａ・１９ｂ・１９ｃ・１９ｄ・１９ｅにより測定された鋳抜きピン１２および押し出しピン１４・１５・１６・１７と金型２との間の電気抵抗の測定値に基づいて、それぞれ鋳抜きピン１２と連通孔３ａとの隙間、押し出しピン１４と連通孔４ａとの隙間、押し出しピン１５と連通孔４ｂとの隙間、押し出しピン１６と連通孔４ｃとの隙間、押し出しピン１７と連通孔４ｄとの隙間に離型剤２２に由来する水分が存在しているか否か（離型剤２２が十分乾燥しているか否か）を判定するものである。
【００５５】
抵抗判定装置２０は抵抗測定器１９ａ・１９ｂ・１９ｃ・１９ｄ・１９ｅに接続され、抵抗測定器１９ａ・１９ｂ・１９ｃ・１９ｄ・１９ｅにより測定された鋳抜きピン１２および押し出しピン１４・１５・１６・１７と金型２との間の電気抵抗の測定値（に係る情報）を取得することが可能である。
【００５６】
抵抗判定装置２０は、予め実験等により得られた（ａ）鋳抜きピン１２と連通孔３ａとの隙間に離型剤２２に由来する水分が存在している場合の鋳抜きピン１２と固定型３との間の電気抵抗値、（ｂ）押し出しピン１４と連通孔４ａとの隙間に離型剤２２に由来する水分が存在している場合の押し出しピン１４と可動型４との間の電気抵抗値、（ｃ）押し出しピン１５と連通孔４ｂとの隙間に離型剤２２に由来する水分が存在している場合の押し出しピン１５と可動型４との間の電気抵抗値、（ｄ）押し出しピン１６と連通孔４ｃとの隙間に離型剤２２に由来する水分が存在している場合の押し出しピン１６と可動型４との間の電気抵抗値、（ｅ）押し出しピン１７と連通孔４ｄとの隙間に離型剤２２に由来する水分が存在している場合の押し出しピン１７と可動型４との間の電気抵抗値（以下、（ａ）〜（ｅ）の電気抵抗値を「初期値」と呼ぶ。）、に基づいて設定される所定の値を「閾値」として格納している。「閾値」は初期値より大きい値に設定される。
【００５７】
鋳抜きピン１２の露出部１２ｃ・１２ｄ・１２ｅは、絶縁性皮膜１２ａの厚みにより、絶縁性皮膜１２ａが連通孔３ａの内周面に接触した状態でも、露出部１２ｃ・１２ｄ・１２ｅと連通孔３ａの内周面との間には所定の隙間が存在する。従って、露出部１２ｃ・１２ｄ・１２ｅと連通孔３ａの内周面との隙間に例えば水分等の導電性物質が存在しない場合には、鋳抜きピン１２と金型２との間の電気抵抗が大きくなる。
逆に、露出部１２ｃ・１２ｄ・１２ｅと連通孔３ａの内周面との隙間に侵入した離型剤２２が十分に乾燥していない場合等、当該隙間に水分等の導電性の物質が存在する場合には、鋳抜きピン１２の露出部１２ｃ・１２ｄ・１２ｅと連通孔３ａの内周面とが導通した状態となり、鋳抜きピン１２と金型２（固定型３）との間の電気抵抗が小さくなる。
押し出しピン１４・１５・１６・１７と金型２（可動型３）との間についても同様である。
【００５８】
図４に示す如く、金型２のキャビティ５に離型剤２１を塗布し、その後金型２の温度を所定の温度まで昇温することにより離型剤２１を乾燥させる場合、時間の経過とともに連通孔と貫装部材との隙間に侵入した離型剤２２も乾燥し、離型剤２２に由来する水分が蒸発して除去されることから、当該水分による導通状態が解消されていくこととなる。
よって、連通孔と貫装部材との間の電気抵抗値（測定値）は時間の経過とともに上昇し、閾値を超えて最終的には無限大（厳密には、抵抗測定器１９ａ・１９ｂ・１９ｃ・１９ｄ・１９ｅにより測定することが可能な電気抵抗値の上限以上）となる。
【００５９】
抵抗判定装置２０は、抵抗測定器１９ａ・１９ｂ・１９ｃ・１９ｄ・１９ｅから所得した電気抵抗値（測定値）と閾値とを比較し、当該測定値が閾値未満である場合には対応する貫装部材と金型の連通孔との隙間に離型剤２２に由来する水分が存在する（離型剤２２が十分乾燥していない）と判定し、当該測定値が閾値以上である場合には対応する貫装部材と金型の連通孔との隙間に離型剤２２に由来する水分が存在しない（離型剤２２が十分乾燥している）と判定する。
【００６０】
閾値Ｒ２を初期値Ｒ１に対してどの程度大きい値に設定するかは、金型や貫装部材の形状、大きさ、溶湯（ダイカスト品）を構成する材料の種類、離型剤の種類等の条件に応じて適宜選択する必要がある。
目安としては、測定精度等を考慮して閾値Ｒ２を初期値Ｒ１よりも一桁大きい値、すなわち１０倍以上の値に設定することが望ましい（（Ｒ２／Ｒ１）≧１０）。
【００６１】
抵抗判定装置２０により全ての貫装部材（鋳抜きピン１２および押し出しピン１４・１５・１６・１７）について連通孔（連通孔３ａ・４ａ・４ｂ・４ｃ・４ｄ）との隙間に水分が存在しない（離型剤２２が十分乾燥している）と判定された後にキャビティ５の減圧、キャビティ５への溶湯１１の充填および溶湯１１の凝固を行うことにより、ダイカスト装置１は貫通孔離型剤由来の水分に起因するダイカスト品の品質低下（鋳巣等の欠陥の発生）を防止することが可能であり、高品質のダイカスト品を得ることが可能である。
【００６２】
抵抗判定装置２０は専用品でも良いが、市販のパーソナルコンピュータやワークステーションに抵抗判定に係るプログラムを格納したものにより達成することが可能である。
また、抵抗判定装置２０はダイカスト装置１の一連の動作を制御する制御装置（不図示）と一体とする構成（制御装置の機能の一部として抵抗判定装置２０の機能を含む構成）としても良い。
さらに、作業者が抵抗測定器１９ａ・１９ｂ・１９ｃ・１９ｄ・１９ｅに設けられた測定値の表示部の指示値を見て測定値と閾値とを比較することにより、対応する貫装部材と金型の連通孔との隙間に離型剤２２に由来する水分が存在するか否か（離型剤２２が十分乾燥しているか否か）を判定する場合には、抵抗判定装置２０を省略することが可能である。
【００６３】
本実施例は貫装部材毎に抵抗測定装置を設けることにより離型剤に由来する水分が存在する部位を特定可能な構成であるが、抵抗測定装置を一つとし、当該抵抗測定装置と複数の貫装部材との接続を切り替え可能な構成としても離型剤に由来する水分が存在する部位を特定可能である。
また、離型剤に由来する水分が存在する部位を特定する必要がなく、いずれの連通孔と貫装部材との隙間にも離型剤に由来する水分が存在しないことのみ判定したい場合、抵抗測定装置を一つとし、当該抵抗測定装置の二つの端子の一方を全ての貫装部材に（並列的に）接続する構成とすれば良い。
【００６４】
以上の如く、ダイカスト装置１は、
金型２と、
金型２のキャビティ５を減圧する排気ポンプ６と、
金型２のキャビティ５に連通する連通孔３ａ・４ａ・４ｂ・４ｃ・４ｄにそれぞれ貫装される鋳抜きピン１２および押し出しピン１４・１５・１６・１７と、
鋳抜きピン１２および押し出しピン１４・１５・１６・１７と金型２との間の電気抵抗をそれぞれ測定する抵抗測定器１９ａ・１９ｂ・１９ｃ・１９ｄ・１９ｅと、
を具備するものである。
このように構成することにより、金型２のキャビティ５、特にキャビティ５に連通する連通孔３ａ・４ａ・４ｂ・４ｃ・４ｄ（より厳密には、連通孔３ａ・４ａ・４ｂ・４ｃ・４ｄと鋳抜きピン１２および押し出しピン１４・１５・１６・１７との隙間）に侵入した離型剤２２に由来する水分に起因するダイカスト品の品質低下（鋳巣等の欠陥の発生）を防止することが可能であり、ひいては高品質なダイカスト品を得ることが可能である。
また、ダイカスト装置１は従来のダイカスト装置と比較して大掛かりな改造や高価な装置の追加等を伴うことなく達成することが可能であり、設備コストを抑えることが可能である。
さらに、連通孔３ａ・４ａ・４ｂ・４ｃ・４ｄと鋳抜きピン１２および押し出しピン１４・１５・１６・１７との隙間に離型剤２２に由来する水分が存在するか否かを精度良く判定することが可能であることから、過度に高温・長時間の離型剤の乾燥を行う必要がなく、エネルギーコストの削減および生産性の向上に寄与する。
【００６５】
また、ダイカスト装置１の鋳抜きピン１２および押し出しピン１４・１５・１６・１７は、
それぞれ連通孔３ａ・４ａ・４ｂ・４ｃ・４ｄの内周面に対向する面（外周面）に形成され、連通孔３ａ・４ａ・４ｂ・４ｃ・４ｄの内周面との隙間に水分が存在する場合に金型２との間で導通する導通部と、
それぞれ連通孔３ａ・４ａ・４ｂ・４ｃ・４ｄの内周面に対向する面（外周面）に形成され、連通孔３ａ・４ａ・４ｂ・４ｃ・４ｄの内周面に接触しても金型２との間で導通しない絶縁部と、
を備えるものである。
このように構成することにより、連通孔３ａ・４ａ・４ｂ・４ｃ・４ｄと鋳抜きピン１２および押し出しピン１４・１５・１６・１７との隙間に離型剤２２に由来する水分が存在する場合と存在しない場合における鋳抜きピン１２および押し出しピン１４・１５・１６・１７と金型２との間の電気抵抗値の差が大きくなり、連通孔３ａ・４ａ・４ｂ・４ｃ・４ｄと鋳抜きピン１２および押し出しピン１４・１５・１６・１７との隙間に離型剤２２に由来する水分が存在するか否かの判定精度が向上する。
【００６６】
また、ダイカスト装置１の貫装部材は、
キャビティ５に向かって突出することによりダイカスト品を金型２から剥離する押し出しピン１４・１５・１６・１７である。
このように構成することにより、連通孔４ａ・４ｂ・４ｃ・４ｄと押し出しピン１４・１５・１６・１７との隙間に侵入した離型剤２２に由来する水分に起因するダイカスト品の品質低下（鋳巣等の欠陥の発生）を防止することが可能であり、ひいては高品質なダイカスト品を得ることが可能である。
【００６７】
また、ダイカスト装置１の貫装部材は、
キャビティ５に対して突出および退避が可能で、ダイカスト品に凹部を形成する鋳抜きピン１２である。
このように構成することにより、連通孔３ａと鋳抜きピン１２との隙間に侵入した離型剤２２に由来する水分に起因するダイカスト品の品質低下（鋳巣等の欠陥の発生）を防止することが可能であり、ひいては高品質なダイカスト品を得ることが可能である。
【００６８】
以下では、図１および図５を用いて本発明に係るダイカスト方法の実施の一形態について説明する。
本発明に係るダイカスト方法の実施の一形態は、ダイカスト装置１を用いてダイカスト品を成形する方法であり、主として離型剤塗布工程Ｓ１１００、離型剤乾燥工程Ｓ１２００、抵抗測定工程Ｓ１３００、減圧工程Ｓ１４００、凝固工程Ｓ１５００、取り出し工程Ｓ１６００を具備する。
【００６９】
離型剤塗布工程Ｓ１１００は金型２のキャビティ５（厳密にはキャビティ面）に水性の離型剤２１（図２および図３参照）を塗布する工程である。
離型剤塗布工程Ｓ１１００において、作業者は離型剤２１をスプレーまたはハケを用いてキャビティ５に塗布する。
離型剤塗布工程Ｓ１１００が終了したら、離型剤乾燥工程Ｓ１２００に移行する。
【００７０】
離型剤乾燥工程Ｓ１２００は金型２のキャビティ５に塗布された離型剤２１を乾燥する工程である。
離型剤乾燥工程Ｓ１２００において、金型２の内部に設けられた発熱体（例えば、シースヒーター等）を発熱させることにより、金型２を所定の温度に昇温し、その後所定時間保持する。
離型剤乾燥工程Ｓ１２００が終了したら、抵抗測定工程Ｓ１３００に移行する。
【００７１】
抵抗測定工程Ｓ１３００は金型２のキャビティ５に連通する連通孔３ａ・４ａ・４ｂ・４ｃ・４ｄにそれぞれ貫装される鋳抜きピン１２および押し出しピン１４・１５・１６・１７と金型２との間の電気抵抗を測定する工程である。
抵抗測定工程Ｓ１３００において、抵抗測定器１９ａ・１９ｂ・１９ｃ・１９ｄ・１９ｅによりそれぞれ鋳抜きピン１２および押し出しピン１４・１５・１６・１７と金型２との間の電気抵抗が測定される。
そして、抵抗判定装置２０が当該電気抵抗の測定値と閾値とを比較した結果、連通孔３ａ・４ａ・４ｂ・４ｃ・４ｄと鋳抜きピン１２および押し出しピン１４・１５・１６・１７とのいずれの隙間についても離型剤２２に由来する水分が存在しない（離型剤２２が十分に乾燥している）と判定した場合には抵抗測定工程Ｓ１３００を終了し、減圧工程Ｓ１４００に移行する。
また、抵抗判定装置２０が連通孔３ａ・４ａ・４ｂ・４ｃ・４ｄと鋳抜きピン１２および押し出しピン１４・１５・１６・１７とのいずれの隙間について離型剤２２に由来する水分が存在する（離型剤２２が十分に乾燥していない）と判定した場合には離型剤乾燥工程Ｓ１２００に戻る。
【００７２】
減圧工程Ｓ１４００は金型２のキャビティ５を減圧する工程である。
減圧工程Ｓ１４００において、金型２が閉じられ、排気ポンプ６によりキャビティ５の内部の空気が排気されて所定の真空度となるまでキャビティ５が減圧される。
減圧工程Ｓ１４００が終了したら、凝固工程Ｓ１５００に移行する。
【００７３】
凝固工程Ｓ１５００は減圧された金型２のキャビティ５に溶湯１１を充填し、溶湯１１を冷却して凝固させる工程である。
凝固工程Ｓ１５００において、溶湯１１が金型２のキャビティ５に充填される。その後溶湯１１が冷却されると溶湯１１が凝固し、所定の形状のダイカスト品が成形される。
ダイカスト品の温度が所定の温度となるまで冷却された時点で凝固工程Ｓ１５００を終了し、取り出し工程Ｓ１６００に移行する。
【００７４】
取り出し工程Ｓ１６００は金型２からダイカスト品を取り出す工程である。
取り出し工程Ｓ１６００において、金型２を開き、押し出しピン１４・１５・１６・１７をキャビティ５に向かって突出させることにより金型２（可動型４）からダイカスト品を剥離し、ダイカスト品を金型２の外部に取り出す。
【００７５】
以上の如く、本発明に係るダイカスト方法の実施の一形態は、
金型２のキャビティ５に連通する連通孔３ａ・４ａ・４ｂ・４ｃ・４ｄにそれぞれ貫装される鋳抜きピン１２および押し出しピン１４・１５・１６・１７と金型２との間の電気抵抗を測定する抵抗測定工程Ｓ１３００と、
金型２のキャビティ５を減圧する減圧工程Ｓ１４００と、
を具備するものである。
このように構成することにより、金型２のキャビティ５、特にキャビティ５に連通する連通孔３ａ・４ａ・４ｂ・４ｃ・４ｄ（より厳密には、連通孔３ａ・４ａ・４ｂ・４ｃ・４ｄと鋳抜きピン１２および押し出しピン１４・１５・１６・１７との隙間）に侵入した離型剤２２に由来する水分に起因するダイカスト品の品質低下（鋳巣等の欠陥の発生）を防止することが可能であり、ひいては高品質なダイカスト品を得ることが可能である。
また、本発明に係るダイカスト方法の実施の一形態は従来のダイカスト方法と比較してダイカスト装置の大掛かりな改造や高価な装置の追加等を伴うことなく達成することが可能であり、設備コストを抑えることが可能である。
さらに、連通孔３ａ・４ａ・４ｂ・４ｃ・４ｄと鋳抜きピン１２および押し出しピン１４・１５・１６・１７との隙間に離型剤２２に由来する水分が存在するか否かを精度良く判定することが可能であることから、過度に高温・長時間の離型剤の乾燥を行う必要がなく、エネルギーコストの削減および生産性の向上に寄与する。
【００７６】
なお、本実施例では離型剤乾燥工程Ｓ１２００が終了したら抵抗測定工程Ｓ１３００に移行し、抵抗測定工程Ｓ１３００が終了したら減圧工程Ｓ１４００に移行する構成としたが、本発明はこれに限定されず、金型のキャビティに塗布された離型剤を乾燥する工程と金型のキャビティに連通する連通孔に貫装される貫装部材と金型との間の電気抵抗を測定する工程とを並行して行う構成（すなわち、金型のキャビティに塗布された離型剤を乾燥しつつ金型のキャビティに連通する連通孔に貫装される貫装部材と金型との間の電気抵抗を測定し、当該電気抵抗の測定値に基づいて離型剤が十分に乾燥したと判定された時点で金型のキャビティを減圧する工程に移行する工程）としても良い。
【図面の簡単な説明】
【００７７】
【図１】本発明に係るダイカスト装置の実施の一形態を示す断面模式図。
【図２】本発明に係るダイカスト装置の実施の一形態における押し出しピンを示す図。
【図３】本発明に係るダイカスト装置の実施の一形態における鋳抜きピンを示す図。
【図４】キャビティに塗布された離型剤の乾燥時間と、貫装部材と金型との間の電気抵抗値と、の関係を示す図。
【図５】本発明に係るダイカスト方法の実施の一形態を示すフロー図。
【符号の説明】
【００７８】
１                                      ダイカスト装置
２                                      金型
３ａ・４ａ・４ｂ・４ｃ・４ｄ            連通孔
５                                      キャビティ
６                                      排気ポンプ（減圧装置）
１２                                    鋳抜きピン（貫装部材）
１４・１５・１６・１７                  押し出しピン（貫装部材）
１９ａ・１９ｂ・１９ｃ・１９ｄ・１９ｅ  抵抗測定器（抵抗測定装置）
【図１】
2008173680.tif 000003
【図２】
2008173680.tif 000004
【図３】
2008173680.tif 000005
【図４】
2008173680.tif 000006
【図５】
2008173680.tif 000007